(57)【要約】      （修正有）【課題】ルーツロータの中空部から鋳砂がロータ室に飛散・混入して生じるトラブルや、吸込口からロータ室に吸引された水分がルーツロータの中空部に混入して生じるトラブルを防止できるルーツブロワを提供する。【解決手段】ルーツロータ３０の中空部の開口を蓋体３５で覆蓋する。中空部から鋳砂がロータ室に飛散・混入するのを防止できるとともに、吸込口からロータ室に吸引された水分がルーツロータ３０の中空部に混入するのを防止できる。蓋体３５はスナップリング３６で開口に固定する。低コストで蓋体３５を開口にしっかりと固定できる。【選択図】図３
0003216478.tif 000002
【実用新案登録請求の範囲】
【請求項１】
一対の円弧面を有する長円形のロータ室と、ロータ室の中間面の一側に開口する吸込口と、他側に開口する吐出口を形成したケーシングと、
周面が凸円弧曲線を有する複数個のローブと、周面が凹円弧形を有し、各ローブから連続する谷部から成るとともに、端面に開口する中空部を有する中空構造に成形したルーツロータを一対備え、
各ルーツロータのローブの頂部がロータ室の円弧面と所定の微小間隙を保って回転するとともに、一方のルーツロータのローブの頂部と他方のルーツロータの谷部が最も接近したときにも前記微小間隙と略同じ微小間隙を保って両ルーツロータが回転するように、両ルーツロータをロータ室に収め、
一対のルーツロータの回転に伴い吸込口から空気をロータ室に吸引するとともに、ロータ室に吸引された空気を圧縮して吐出口から吐出するように構成したルーツブロワであって、
前記中空部の開口の内周面にリング溝を形成し、
開口を覆蓋する蓋体を、リング溝にスナップリングを嵌めて開口に固定したことを特徴とするルーツブロワ。
【考案の詳細な説明】
【技術分野】
【０００１】
本考案はルーツブロワに関する。
【背景技術】
【０００２】
ルーツブロワは一対の円弧面を有する長円形のロータ室を形成したケーシング及び周面が凸円弧曲線を有する複数個のローブと、周面が凹円弧形を有し、各ローブから連続する谷部から成るルーツロータを一対備えている。各ルーツロータはそのローブの頂部がロータ室の円弧面と０.１〜０.５ｍｍ程度の微小間隙を保って回転するとともに、一方のルーツロータのローブの頂部と他方のルーツロータの谷部が最も接近したときにも略同じ微小間隙を保って両ルーツロータが互いに逆方向へ回転するようにロータ室に収められている。そして、一対のルーツロータを回転させると、ケーシングに設けた吸込口から空気がロータ室に吸引されるとともに、ロータ室に吸引された空気が圧縮されて吐出口から吐出される。
【０００３】
この種のルーツブロワでは、特許第３０７９２１７号公報や特開平８−６１２７２号公報に開示されているように、ルーツロータの軽量化を図るためルーツロータを両端面が開口する中空構造に成形している。
【０００４】
ルーツロータをねずみ鋳鉄（ＦＣ２００等）や球状黒鉛鋳鉄（ＦＣＤ５００等）の材質を用いて中空構造に鋳造した場合、中空構造の内部に鋳砂が残留するので、エアブローで清掃するが、鋳肌表面には微細な凹凸があるため鋳砂を完全に除去することはできない。
【０００５】
除去されずにルーツロータの中空部に残留している鋳砂がルーツブロワの運転時にケーシング内に飛散・混入すると、ルーツロータとロータ室の円弧面との間の微小間隙や一方のルーツロータのローブと他方のルーツロータの谷部との間の微小間隙に混入してルーツロータに干渉トラブルが発生するおそれが生じる。
【０００６】
また、ルーツブロワを食品、飼料等の空気輸送源に利用する場合、排気側で鋳砂が食品や飼料等に混入するトラブルを生じるおそれがあり、それを防止するためルーツブロワの吐出口に鋳砂を除去できるような微細なフィルターを設ける必要が生じ、コスト高となる。
【０００７】
ルーツブロワを脱水機の真空源に使用する場合、吸込口から空気とともに多量の水分がロータ室に吸引され、吸引された水分が中空構造のルーツロータの両端面の開口からルーツロータの中空部に混入する。その結果、ルーツロータの回転がアンバランスになり、異常振動が発生する。
【０００８】
また、ルーツロータ中空部に混入した水分が両端面の開口からルーツロータのシャフトを支持する軸受部に向けて勢いよく流出し、軸受部の潤滑油を洗い流してしまうため、軸受部の潤滑不良が生じ、異常振動の原因となる。
【先行技術文献】
【特許文献】
【０００９】
【特許文献１】特許第３０７９２１７号公報
【特許文献２】特開平８−６１２７２号公報
【考案の概要】
【考案が解決しようとする課題】
【００１０】
本考案はかかる問題点に鑑み、ルーツロータの中空部から鋳砂がロータ室に飛散・混入して生じるトラブルや、吸込口からロータ室に吸引された水分がルーツロータの中空部に混入して生じるトラブルを防止できるルーツブロワを提供することを目的とする。
【課題を解決するための手段】
【００１１】
請求項１に記載の考案は、
一対の円弧面を有する長円形のロータ室と、ロータ室の中間面の一側に開口する吸込口と、他側に開口する吐出口を形成したケーシングと、
周面が凸円弧曲線を有する複数個のローブと、周面が凹円弧形を有し、各ローブから連続する谷部から成るとともに、端面に開口する中空部を有する中空構造に成形したルーツロータを一対備え、
各ルーツロータのローブの頂部がロータ室の円弧面と所定の微小間隙を保って回転するとともに、一方のルーツロータのローブの頂部と他方のルーツロータの谷部が最も接近したときにも前記微小間隙と略同じ微小間隙を保って両ルーツロータが回転するように、両ルーツロータをロータ室に収め、
一対のルーツロータの回転に伴い吸込口から空気をロータ室に吸引するとともに、ロータ室に吸引された空気を圧縮して吐出口から吐出するように構成したルーツブロワであって、
前記中空部の開口の内周面にリング溝を形成し、
開口を覆蓋する蓋体を、リング溝にスナップリングを嵌めて開口に固定したことを特徴とする。
【考案の効果】
【００１２】
本考案によれば、中空部の開口を蓋体で覆蓋するので、ルーツロータの中空部から鋳砂がロータ室に飛散・混入するのを防止できるとともに、吸込口からロータ室に吸引された水分がルーツロータの中空部に混入するのを防止できる。
しかして、蓋体はスナップリングで開口に固定するので、低コストで蓋体を開口にしっかりと固定できる。
【図面の簡単な説明】
【００１３】
【図１】本考案の実施例に係る３葉ルーツブロワを示す正面断面図である。
【図２】図１の２−２線から切断した断面図である。
【図３】同３葉ルーツブロワのルーツロータを示す正面図である。
【図４】図３の４−４線から切断した側面図である。
【実施例】
【００１４】
以下に本考案を図面に基づき説明する。図１及び図２には本考案の一実施例に係る３葉ルーツブロワ１０が示されている。当該ルーツブロワ１０はケーシング２０と一対の３葉式ルーツロータ３０を備えている。
【００１５】
ケーシング２０には、上下一対の円弧面２１，２２を有する長円形のロータ室２３が形成されている。また、ケーシング２０には、ロータ室２３の中間面の一側に開口する吸込口２４と他側に開口する吐出口２５形成されている。
【００１６】
ケーシング２０の側面には、ハウジング２６，２７が取り付けられている。各ルーツロータ３０のシャフト３１は、ハウジング２６，２７に設けた軸受３２で回転可能に支持されている。一方のルーツロータ３０のシャフト３１はＶプーリ３３とＶベルト（図示略）を介してモータ（図示略）で駆動される。また、一方のルーツロータ３０のシャフト３１はタイミングギヤ３４を介して他方のルーツロータ３０のシャフト３１に連結され、両シャフト３１が互いに逆方向へ一体回転する。
【００１７】
各ルーツロータ３０は鋳鉄製の鋳造品で、周面が凸円弧曲線を有する複数個のローブ３０ａと、周面が凹円弧形を有し、各ローブ３０ａから連続する谷部３０ｂが成形されている。一対のルーツロータ３０は、ローブ３０ａの頂部３０ｃとロータ室２３の円弧面２１，２２と０.１mm〜０.５mm程度の微小間隙Ｓを保って回転するとともに、一方のルーツロータ３０のローブ３０ａの頂部３０ｃと他方のルーツロータ３０の谷部３０ｂが最も接近したときにも略同じ微小間隙Ｓを保って回転するようにロータ室２３に収納されている。
【００１８】
図２及び図４に示すように、各ルーツロータ３０のローブ３０ａは両端面が開口３０ｄする中空部３０ｅを有する中空構造に成形され、軽量化が図られている。中空部３０ｅの中間部は略扇型の断面形状を有し、両端面の開口３０ｄは円形に形成されている。開口３０ｄの内周面にはリング溝３０ｆが形成され、開口３０ｄに嵌め込まれた蓋体３５で覆蓋されている。この蓋体３５はリング溝３０ｆに嵌め込まれたスナップリング３６で開口３０ｄに固定されている。
【００１９】
本実施例に係るルーツブロワ１０の構造は以上の通りであって、モータ（図示略）で一対のルーツロータ３０を回転させると、ロータ室２３の吸込口２４から空気がロータ室２３に吸引されるとともに、ロータ室２３に吸引された空気が圧縮されて吐出口２５から吐出する。
【００２０】
本実施例に係るルーツブロア１０によれば、ルーツロータ３０の中空部３０ｅの開口３０ｄを蓋体３５で覆蓋するので、中空部３０ｅから鋳砂がロータ室２３に飛散・混入するのを防止できるとともに、吸込口２４からロータ室２３に吸引された水分がルーツロータ３０の中空部３０ｅに混入するのを防止できる。
また、蓋体３５はスナップリング３６で開口３０ｄに固定するので、低コストで蓋体３５を開口３０ｄにしっかりと固定できる。
【符号の説明】
【００２１】
１０…３葉ルーツブロワ
２０…ケーシング
２１，２２…円弧面
２３…ロータ室
２４…吸込口
２５…吐出口
３０…ルーツロータ
３０ａ…ローブ
３０ｂ…谷部
３０ｃ…頂部
３０ｄ…開口
３０ｅ…中空部
３０ｆ…リング溝
３５…蓋体
３６…スナップリング
Ｓ…微小間隙
【図１】
0003216478.tif 000003
【図２】
0003216478.tif 000004
【図３】
0003216478.tif 000005
【図４】
0003216478.tif 000006